(57)【特許請求の範囲】
【請求項１】
原稿画像へ光源から照射される光を照射し、その反射又は透過光量を検出し、電気信号に変換する光電変換素子を備え、前記原稿画像の画像データを得る画像読取装置であって、
前記光源の発光光量をパルス幅変調によって調整する光量調整手段と、
前記原稿画像に対して、前記光量調整手段を制御して、少なくとも２種類の異なる発光光量で照射する照射制御手段と、
前記照射制御手段でのそれぞれの発光光量下において、前記光電変換素子による撮像を実行する撮像制御手段と、
前記撮像制御手段で撮像された複数の撮像データに基づいて、前記原稿画像全体の画像データを生成する画像データ生成手段と、
を有する画像読取装置。
【請求項２】
前記光源が、ＬＥＤ、或いは有機又は無機ＥＬであることを特徴とする請求項１記載の画像読取装置。
【請求項３】
前記画像データ生成手段が、複数の撮像データの所定の領域毎に、前記撮像素子における飽和レベルよりも低く、かつ最も出力が高いデータを選択して原稿画像全体の画像データを得ることを特徴とする請求項１又は請求項２記載の画像読取装置。
【請求項４】
前記画像データ生成手段が、複数の撮像データの所定の領域毎に、データの重み付けを施して合成し、原稿画像全体の画像データを得ることを特徴とする請求項１又は請求項２記載の画像読取装置。
【請求項５】
前記所定の領域が、前記撮像素子の読取分解能の最小単位であることを特徴とする請求項３又は請求項４記載の画像読取装置。
【発明の詳細な説明】
【０００１】
【発明の属する技術分野】
本発明は、原稿画像へ光源から照射される光を照射し、その反射又は透過光量を検出し、電気信号に変換する光電変換素子を備え、前記原稿画像の画像データを得る画像読取装置に関するものである。
【０００２】
【従来の技術及び発明が解決しようとする課題】
原稿画像、例えばネガフィルムやポジフィルム等フィルムの透過画像へ３原色の光源を照射し、その透過光を撮像素子（例えばＣＣＤ）によって読取ることで、画像データを得るフィルムスキャナーにおいて、光源として適用される代表的なものとして、ハロゲンランプ、冷陰極管、ＬＥＤ等が挙げられる。
【０００３】
一般に、フィルムに記録された画像のダイナミックレンジ（濃度の幅）は、撮像素子のダイナミックレンジよりも広いため、従来、異なる露光量で撮像し、撮像素子のダイナミックレンジよりも広いダイナミックレンジの画像を撮像する技術（以下先行技術１という）が提案されている（例えば、特開昭６２−１０８６７８号公報、特許第２９１９７１５号公報参照）。
【０００４】
ところが、上記先行技術１では、絞り量の調整、照明強度の変更（電流、電圧制御）、光学フィルタ出没等が考えられるが、上記のようなフィルムスキャナーに用いるには、高精度で高速に光量を変化させることが必要であり、光量の精度が保てないという問題がある。
【０００５】
なお、上記問題を解決するために、撮像素子の蓄積時間を変えて、複数回の読取を行うことで、広いダイナミックレンジを得る技術（以下、先行技術２という）が提案されていが（一例として特許第３１１２３２５号公報参照）、この撮像時間を変えることでのダイナミックレンジの拡大では、撮像素子の蓄積時間に依存した非線形成分（暗電流量、ニー効果によるリニアリティ劣化等）が、合成時の精度を悪化させる可能性がある。
【０００６】
本発明は上記事実を考慮し、露光量の変更で撮像素子のダイナミックレンジを広くとり、かつ露光量の変更を迅速かつ精度よく行うことができる画像読取装置を得ることが目的である。
【０００７】
【課題を解決するための手段】
請求項１に記載の発明は、原稿画像へ光源から照射される光を照射し、その反射又は透過光量を検出し、電気信号に変換する光電変換素子を備え、前記原稿画像の画像データを得る画像読取装置であって、前記光源の発光光量をパルス幅変調によって調整する光量調整手段と、前記原稿画像に対して、前記光量調整手段を制御して、少なくとも２種類の異なる発光光量で照射する照射制御手段と、前記照射制御手段でのそれぞれの発光光量下において、前記光電変換素子による撮像を実行する撮像制御手段と、前記撮像制御手段で撮像された複数の撮像データに基づいて、前記原稿画像全体の画像データを生成する画像データ生成手段と、をしている。
【０００８】
請求項２に記載の発明は、前記請求項１に記載の発明において、前記光源が、ＬＥＤ、或いは有機又は無機ＥＬであることを特徴としている。
【０００９】
請求項１記載の発明によれば、原稿画像に光を照射する際に、照射制御手段では、光量調整手段を制御して、少なくとも２種類の異なる発光光量で段階的に照射する。この
撮像制御手段では、前記照射制御手段でのそれぞれの発光光量下において、前記光電変換素子による撮像を実行する。発光光量の変更は、パルス幅変調によって行うため、応答性がよく、また、精度よく行うことができるため、撮像制御手段での撮像時間が大幅に遅延することはない。
【００１０】
撮像データ生成手段では、複数の撮像データに基づいて、原稿画像全体の撮像データを生成する。
【００１１】
これにより、撮像素子のダイナミックレンジよりも広いダイナミックレンジで原稿画像の濃度情報を得ることができる。例えば、明るい室内と、この室内から見える夜景等を同時の画角で撮影された原稿画像等においても、全ての領域で最適な画像データ（分解能が細かいデータ）を得ることができる。
【００１２】
なお、光源には、請求項２に記載のように、ＬＥＤ、或いは有機又は無機ＥＬが適用可能である。
【００１３】
請求項３に記載の発明は、前記請求項１又は請求項２に記載の発明において、前記画像データ生成手段が、複数の撮像データの所定の領域毎に、前記撮像素子における飽和レベルよりも低く、かつ最も出力が高いデータを選択して原稿画像全体の画像データを得ることを特徴としている。
【００１４】
請求項３に記載の発明によれば、複数の撮像データを得た後、所定の領域毎に、前記撮像素子における飽和レベルよりも低く、かつ最も出力が高いデータを選択して原稿画像全体の画像データを得る。これにより、飽和レベルを超えるようなデータを排除し、また、出力値が高い方がＳ／Ｎ比を向上することができる。
【００１５】
請求項４に記載の発明は、前記請求項１又は請求項２に記載の発明において、前記画像データ生成手段が、複数の撮像データの所定の領域毎に、データの重み付けを施して合成し、原稿画像全体の撮像データを得ることを特徴としている。
【００１６】
請求項４に記載の発明によれば、同一の領域において、飽和レベルに達していないデータが存在するような場合、それぞれのデータに重み付けを行って合成することで、合成のために生じやすい境界での濃度むらの発生を防止することができる。
【００１７】
請求項５に記載の発明は、前記請求項３又は請求項４に記載の発明において、前記所定の領域が、前記撮像素子の読取分解能の最小単位であることを特徴としている。
【００１８】
請求項５に記載の発明によれば、所定の領域を撮像素子で読取るときの最小単位、例えば１画素単位とすることで、広いダイナミックレンジで、かつきめ細やかな濃度差を持つ画像データを生成することができる。なお、撮像素子にカラーフィルタを設け、各色毎の３画素単位で１つのデータとするような場合には、この３画素の内の１つの色分解データを基に画像データを選択すればよい。また、原稿画像全体をおおまかに区分して、その区分された領域内で一義的に選択するようにしてもよい。
【００１９】
なお、前記請求項１乃至請求項５の何れか１項記載の発明において、前記撮像制御手段による、複数の発光光量下での撮像を実行するか否かを、処理能力及び画質をパラメータとして設定する撮像機能設定手段をさらに有してもよい。
【００２０】
すなわち、複数回の撮像を行うことは物理的な撮像時間の遅れは否めない。そこで、処理能力を優先する場合には、従来どおり１回の撮像とし、画質優先の場合には、複数回の撮像を実行するように撮像機能をそれぞれの条件に応じて設定することで、処理能力又は画質の一方に偏った目的効果ではなく、撮像処理に関して総合的にニーズにあった目的効果を得ることができる。
【００２１】
【発明の実施の形態】
図１及び図２には、本実施の形態に係る画像読取装置（フィルムスキャナ）１０が示されている。
【００２２】
本実施の形態で適用される原稿画像は、銀塩写真用フィルム１２である。ポジフィルム１２は、図示しないカメラに装填され、撮影されることで潜像が記録された後、現像装置（図示省略）で現像処理される。なお、ここでは、記録された画像のダイナミックレンジがより広いポジフィルム（リバーサルフィルム）１２を例にとり説明するが、ポジフィルム１２に限らず、ネガフィルムや他の透過原稿であってもよい。
【００２３】
前記ポジフィルム１２は、図２に示される如く、２対の搬送ローラ１４、１６に挟持されることで、略水平に保持されている。搬送ローラ１４、１６は、それぞれフィルム搬送系制御部１８からの駆動信号により、互いに等速度で回転し、ポジフィルム１２を図１及び図２の矢印Ａ方向へ搬送するようになっている。なお、搬送ローラ１４、１６間において若干の速度差（搬送方向先頭側を若干速くする）を設けたり、搬送方向後方側をワンウェイクラッチ機構を介在させることで、ポジフィルム１２を緊張させた状態で搬送させるようにしてもよい。
【００２４】
搬送ローラ１４、１６との間は、読取ステージとされており、この読取ステージにおける下部が発光サイドであり、上部が読取サイドとされ、発光サイドには、ＬＥＤ光源２０と光拡散板２２とが配設されている。すなわち、ＬＥＤ光源２０から照射された光は、光拡散板２２を通過して、ポジフィルム１２に照射され、その透過光がポジフィルム１２を透過して読取サイドへ至るようになっている。なお、光拡散板２２は、ＬＥＤ光源２０の発光面の保護としての役目も有している。
【００２５】
本実施の形態のＬＥＤ光源２０では、ＲＧＢの各色に発光するＬＥＤ発光素子が所定の領域内で分散配置されており、それぞれの色毎に発光することで、カラー画像を読み取ることができる構造となっており、画像読取制御部５０からの信号に応じて、発光色が切り替わるようになっている。
【００２６】
図１及び図２に示される如く、読取サイドには、集光レンズ４２が配設され、前記ポジフィルム１２を透過した光を集光する。集光レンズ４２の結像点には、ＣＣＤエリアセンサ４４が配設されており、このＣＣＤエリアセンサ４４の読取部４４Ａによって透過光の濃度が検出されるようになっている。
【００２７】
ＣＣＤエリアセンサ４４は、前記画像読取制御部５０のＡ／Ｄ変換部５２に接続されており、光電変換された電気信号（濃度データ）がアナログ−デジタル変換される。
【００２８】
Ａ／Ｄ変換部５２は入力データ管理部５４に接続されている。入力データ管理部５４では、ＬＥＤ光源４４を点灯するための駆動信号をＬＥＤ駆動制御部５５へ送出、並びにこのＬＥＤ光源４４の光量を設定するＬＥＤ光量情報をデューティー指示部５６へ送出する役目と、ＣＣＤエリアセンサ４４からＡ／Ｄ変換部５２を介して入力されるデータを第１のメモリ５８又は第２のメモリ６０に選択的に記憶する役目と、を有している。
【００２９】
ＬＥＤ駆動制御部５５では、入力データ管理部５４からの指示信号並びにフィルム搬送系制御部１８からの指示信号に基づいて、ＬＥＤ光源４４を点灯させる。また、このＬＥＤ駆動制御部５５では、各色（ＲＧＢ）毎に順番に点灯するように制御しており、この各色での照射光でのＣＣＤエリアセンサ４４による読取値が１セットとなって、Ａ／Ｄ変換部５２へ送出されるようになっている。
【００３０】
ここで、本実施の形態では、ＬＥＤ駆動制御部５５に対して、デューティー指示部５６からＬＥＤ駆動時の駆動信号（パルス信号）の２種類のデューティーが指示されるようになっている。一方は、相対的に発光光量を大きくするためのデューティーであり（図３（Ａ）参照）、他方は相対的に発光光量を小さくするためのデューティーである（図３（Ｂ）参照）。
【００３１】
このデューティーの切替えは、前記入力データ管理部５４からの信号で実行される。すなわち、一方のデューティーで発光光量が制御された状態で、前記１セットの読取りが実行され、続いて同一の画像を対象として、他方のデューティーで発光光量が制御された状態で、前記１セットの読取りが実行されるようになっている。
【００３２】
入力データ管理部５４では、１画像に対して、上記２セットの撮像データが連続して入力されるため、それぞれのセットの撮像データを、第１のメモリ５８及び第２のメモリ６０に振り分けて記憶するようになっている。
【００３３】
上記第１のメモリ５８及び第２のメモリ６０は、データ生成部６２に接続されており、１画像分の撮像データ（２セット分）がそれぞれのメモリ（第１のメモリ５８及び第２のメモリ６０）に記憶されると、この撮像データを読出し、データ出力部６４で出力するための画像データを生成するようになっている。
【００３４】
すなわち、撮像データは、前記ＣＣＤエリアセンサ４４の読取分解能の最小単位である読取画素単位に分解され、同一の画素で読み取ったデータを比較する。この比較は、ＣＣＤエリアセンサ４４の飽和レベルを超えているか否か、並びに両方とも超えていない場合は、出力値の高い方はどちらか（基本的には発光光量の高い方か否か）が判断されるようになっている。
【００３５】
図４には、異なる２種類の発光光量でのＣＣＤエリアセンサ４４の出力特性図が示されている。
【００３６】
この図４からわかるように、ＣＣＤエリアセンサ４４の飽和レベルは一定であるが、２種類の出力特性において、飽和レベルを超えるのが光量が大きい方が速い。このため、光量の小さい方が広いダイナミックレンジで画像を読み取ることができる。しかし、この光量の小さい方は、特性がねている（傾きが小さい）ため出力分解能が低い。
【００３７】
そこで、本実施の形態では、下限しきい値（ノイズ許容レベルと同一レベル）と上限しきい値（飽和レベルよりも若干低いレベル）とを設け、この下限しきい値と上限しきい値との範囲内であって、かつ重複して読取られた場合には、出力の高い方を選択するようにしている。
【００３８】
例えば、図５（Ａ）に示される如く、同一の画像内において、室内等の明るい領域Ｌと、窓Ｗから見える夜景等の暗い領域Ｄとが混在する場合、明るい領域Ｌでは、ポジフィルム１２の場合画像が透過率が高いため、発光光量が少ない側で撮像したものが適用され（図５（Ｂ）参照）、逆に暗い領域では、ポジフィルム１２の場合透過率が低いため、発光光量が多い側で撮像したものが適用されることになる（図５（Ｃ）参照）。
【００３９】
なお、上記の領域Ｌ、Ｄは、説明上おおまかに区分したものであり、それぞれの領域の中で画素毎に何れかの画像データが選択されるようになっている。
【００４０】
上記のように画素毎に１つの撮像データが選択され、その全てが揃ったものが画像データとし、前記データ出力部６４から外部へ送出されるようになっている。
【００４１】
出力された画像データは、例えば図示しない画像記録装置へ送出されることで、各種補正が実行された後、印画紙等へデジタル露光され、画像が形成される。
【００４２】
以下に本実施の形態の作用を説明する。
【００４３】
画像が記録されたポジフィルム１２を２対の搬送ローラ１４、１６に挟持させて１コマ毎に読取ステージへ位置決めする。
【００４４】
位置決めが完了すると、画像の読取りが開始される。このとき、当該画像コマに対してフルカラーで画像データを得るため、ＲＧＢの各色毎に時系列でＣＣＤエリアセンサ４４によって読取るため、まず、ＬＥＤ光源２０をＲ色光とする。
【００４５】
光拡散板２２では、発光領域の一部で発光しているＲ色光を、発光領域の全域で均一な光量となるように光を拡散する。
【００４６】
この拡散された光が、ポジフィルム１２に照射されるため、読取るべき画像の全域に亘り、均一な光量のＲ色光が照射される。
【００４７】
このとき、デュティー指示部５６からは、ＬＥＤ駆動部５５へ発光光量が小となるデューティー指示信号が送出され、発光光量の小さい状態で照射される。
【００４８】
ポジフィルム１２の画像を透過したＲ色光は、集光レンズ４２によって集光され、ＣＣＤエリアセンサ４４の読取部４４Ａに入力する。これにより、読取部４４Ａに入射した光は光電変換され、Ｒ色光に対応する成分の画像濃度に応じた電気信号（電圧）が、Ａ／Ｄ変換部５２へ送出される。Ａ／Ｄ変換部５２では、入力した電気信号をデジタル信号に変換し、デジタル撮像データとして入力データ管理部５４へ送出する。
【００４９】
入力データ管理部５４では、このＲ色光での撮像データを第１のデータメモリ５８のＲ色光エリアに記憶する。
【００５０】
上記Ｒ色光による画像読取りが終了すると、続いてＧ色光、Ｂ色光により同様の読取が実行される。
【００５１】
これらＧ色光、Ｂ色光も発光光量が小の状態で撮像データが得られ、第１のデータメモリ５８のＧ色光、Ｂ色光エリアに記憶される。
【００５２】
次に、入力データ管理部５４では、発光光量が小の状態での画像読取が終了すると、デューティー指示部５６に発光光量切替信号を送出する。この発光光量切替信号を受けたデューティー指示部５６では、発光光量が大となるデューティー指示信号が送出される。この結果、ＬＥＤ駆動制御部５５では、ＬＥＤ光源２０を発光光量が大きい状態で照射するように制御する。
【００５３】
ＬＥＤ光源２０では、この発光光量が大の状態で、前記Ｒ色光、Ｇ色光、Ｂ色光毎に照射し、それぞれの撮像データを得、Ａ／Ｄ変換部５２を介して入力データ管理部５４へ送出する。
【００５４】
入力データ管理部５４では、発光光量が大での撮像データを第２のデータメモリ６０の各色のエリアに記憶する。
【００５５】
上記の読取動作によって、１画像に対して２種類の画像データが存在することになる。
【００５６】
データ生成部６２では、この２種類の撮像データが揃った時点で、第１のデータメモリ５８及び第２のデータメモリ６０から各色毎に撮像データを読出し、合成して１つの画像データを生成する。
【００５７】
撮像データの合成は、図４に示される如く、ＣＣＤエリアセンサ４４における受光量−出力特性に基づいて実行される。
【００５８】
出力値は、その値が低いとノイズが多く、Ｓ／Ｎが悪い。このため、ノイズ許容レベルを下限しきい値として設定し、この下限しきい値を超えた値を適用する。この場合、発光光量が大の状態で撮像した撮像データの方が、発光光量が小の状態で撮像した撮像データの方が速く下限しきい値を超え、かつ出力（絶対出力）が大きいため、受光量が少ない領域では、第１のメモリ５８に記憶された撮像データを適用する。
【００５９】
しかし、この発光光量が大の状態で撮像した撮像データは、発光光量が小の状態で撮像した撮像データよりも発光飽和レベルに達するのが速い。これは、ダイナミックレンジとしては狭いことを意味し、画像が持つダイナミックレンジよりも狭いため、高濃度側がつぶれてしまう（分解能がなくなる）ことがあった。
【００６０】
そこで、本実施の形態では、所定の受光量で発光光量が小の状態で読み取った撮像データを適用する。この撮像データの切替時期は、飽和レベルよりも若干低い値を上限しきい値として設定し、この上限しきい値に対応する受光量とした。
【００６１】
このように発光光量を変更して所定の受光量で適用する撮像データの切替えによって、生成される画像データは、図４の鎖線に示される特性となり、見掛け上、飽和レベルを超えた状態でほぼ一定の分解能で、広いダイナミックレンジに亘り撮像することができる。
【００６２】
これにより、ＣＣＤエリアセンサ４４のダイナミックレンジを拡大することができる。このＣＣＤエリアセンサ４４のダイナミックレンジの拡大によって、高濃度側においても所定の分解能を確保することができ、画像が持つダイナミックレンジに近づけることができる。
【００６３】
本実施の形態では、発光光量の変更をＬＥＤ駆動信号（電圧又は電流）のパルス幅変調制御（デューティー制御）によって実行したため、例えば、メカ的な駆動（絞りの調整、光学フィルタの出没等）に起因する応答性の低下がなく、また、発光強度を振幅で（電圧値の振幅又は電流値の振幅）制御することによる不安定な出力値の変動等を防止することができ、精度よく、かつ迅速に広範囲（広いダイナミックレンジ）での撮像が可能となる。
【００６４】
以上説明したように本実施の形態では、パルス幅変調制御（デューティー制御）での発光光量が精度よくかつ容易に調整可能なＬＥＤ光源２０を適用し、１つの画像を対象として、少なくとも２種類の発光光量の下で撮像し、この２種類以上の撮像データを合成して、出力するべき画像データを生成するようにした。ポジフィルム１２の場合において、夜景等の暗い景色では透過率が低いため、発光光量が大の状態での撮像データを適用する。一方、同じ画像内に明るい部分がある場合、この明るい部分では透過率が高いため、上記のような発光光量が大であると、すぐにＣＣＤエリアセンサ４４の飽和レベルを超えてしまう。そこで、明るい部分は発光光量が小の状態での撮像データを適用する。これらを合成することで、画像内の広いダイナミックレンジに対応した画像データを得ることができる（図５参照）。
【００６５】
なお、本実施の形態では、所定の受光量で適用する撮像データを切り替えて適用するようにしたが、上限しきい値と下限しきい値の範囲内に２種類の撮像データがある場合において、両者に適宜重み付け処理を施して合成したデータを最終的な画像データとして適用するようにしてもよい。
【００６６】
重み付けは、例えば、受光量に依存し、受光量が少ないほど発光光量が大の状態で撮像データの割合を多くし、受光量が多いほど発光光量が小の状態で撮像データの割合を多くするようにすればよい。
【００６７】
また、本実施の形態では、撮像素子としてＣＣＤエリアセンサ４４を適用したが、ＣＣＤラインセンサ等、他の撮像素子を適用した場合でも、同様の効果を得ることができる。
【００６８】
さらに、本実施の形態では、原稿画像としてポジフィルム１２の画像の読取りを例にとり説明したが、これは、ポジフィルム１２の画像がダイナミックレンジが広いためであり、ネガフィルムの画像にも適用可能であり、さらに、白黒画像であってもよい。但し、ネガフィルムの場合、同時プリントを依頼される場合が多く、処理能力を優先する必要がある場合、上記のような１画像に２回の撮像は、処理能力の低下の原因となる。そこで、入力データ管理部５４に処理選択部６６（図２の想像線参照）を設け、フィルムの種類、或いは注文状況に応じて、手動又は自動で処理能力を優先するか画質を優先するかを判断し、２種類の撮像データの合成処理を行う撮像パターンと、１回の撮像データのみで処理を行う撮像パターンと、を選択するようにしてもよい。
【００６９】
また、本実施の形態では、２種類の発光光量の下で撮像を実行したが、３種類以上の発光光量の下で撮像するようにしてもよい。
【００７０】
さらに、撮像データの選択を画素毎としたが、複数画素の集まりを群として、群毎に撮像データを選択するようにしてもよい。例えば、図５に示した領域Ｌ、Ｄにおいて、それぞれの領域の中で一義的に何れかの画像データを選択するようにしてもよい。また、ＣＣＤエリアセンサ４４に３画素を１単位としてＲＧＢのカラーフィルタを装着して、１回の読取で各色毎のデータを得る構成の場合には、１単位を構成する３画素の内の１画素を選択判別対象画素としてもよい。
【００７１】
【発明の効果】
以上説明した如く本発明では、露光量の変更で撮像素子のダイナミックレンジを広くとり、かつ露光量の変更を迅速かつ精度よく行うことができるできるという優れた効果を有する。
【図面の簡単な説明】
【図１】本実施の形態に係るフィルムスキャナの斜視図である。
【図２】本実施の形態に係るフィルムスキャナの概略構成図である。
【図３】ＬＥＤ光源を発光させるための駆動信号であり、（Ａ）は発光光量が大の場合のデューティ、（Ｂ）は発光光量が小の場合のデューティーを示す。
【図４】ＣＣＤエリアセンサの受光量−出力特性図である。
【図５】明るい領域と暗い領域とが混在する場合の画像の正面図である。
【符号の説明】
１０    フィルムスキャナ（画像読取装置）
１２    ポジフィルム（原稿画像）
１４、１６    搬送ローラ
１８    フィルム搬送系制御部
２０    光源
２２    光拡散板
４２    集光レンズ
４４    ＣＣＤエリアセンサ（撮像素子）
４４Ａ    読取部
５０    画像読取制御部
５２    Ａ／Ｄ変換部
５４    入力データ管理部（撮像制御手段）
５５    ＬＥＤ駆動制御部（照射制御手段）
５６    デューティー指示部（光量調整手段）
５８    第１のデータメモリ
６０    第２のデータメモリ
６２    データ生成部（画像データ生成手段）
６４    データ出力部
６６    処理選択部（撮像機能設定手段）
【図１】
0003947032.tif 000002
【図２】
0003947032.tif 000003
【図３】
0003947032.tif 000004
【図４】
0003947032.tif 000005
【図５】
0003947032.tif 000006